(57)【特許請求の範囲】
【請求項１】
ＩＳＤＮ回線網に接続したデジタル回線終端装置と、前記デジタル回線終端装置のインターフェースＳ／Ｔ点にバス接続した第１のデジタル回線装置および第２のデジタル回線装置と、前記第１のデジタル回線装置と前記第２のデジタル回線装置とに接続され、前記第１のデジタル回線装置または前記第２のデジタル回線装置により前記ＩＳＤＮ回線網に通信接続されてセンタ端末と通信および遠隔制御される端末装置とを備え、
前記端末装置には端末通信試験手段とを設け、前記端末通信試験手段は、前記第１のデジタル回線装置と前記第２のデジタル回線装置のいずれか一方から他方へ発信させ、通信接続により形成される前記第１のデジタル回線装置と前記第２のデジタル回線装置と前記端末装置とによるループ状の信号経路にデータを送出し、前記信号経路を経由して受信したデータを前記送出したデータと比較することにより、前記第１のデジタル回線装置および前記第２のデジタル回線装置における通信異常の有無を検知するようにしたＩＳＤＮ網制御システムにおいて
前記端末通信試験手段は、通信異常を検知したとき、前記第１のデジタル回線装置と前記第２のデジタル回線装置とをそれぞれ前記ＩＳＤＮ回線網を介してセンタ端末と通信させることにより、前記第１のデジタル回線装置と前記第２のデジタル回線装置のいずれが通信異常であるかを特定し、前記端末装置からの発呼通信を正常なデジタル回線装置を用いて行うように端末装置を設定するＩＳＤＮ網制御システム。
【請求項２】
ＩＳＤＮ回線網に接続したデジタル回線終端装置と、前記デジタル回線終端装置のインターフェースＳ／Ｔ点にバス接続したデジタル回線装置と、前記デジタル回線装置により前記ＩＳＤＮ回線網に通信接続されてセンタ端末と通信および遠隔操作される端末装置とを備え、
前記インターフェースＳ／Ｔ点には端末着信試験手段を備えた通信試験装置をバス接続し、前記端末装置には端末通信試験手段を設け、前記端末通信試験手段は前記デジタル回線装置から前記通信試験装置に発信させるとともにデータを送信し、前記通信試験装置からの応答により前記デジタル回線装置の発信に係わる通信試験を行い、前記通信試験装置は、前記端末着信試験手段により前記デジタル回線装置に発信するとともにデータを送信し、前記端末通信試験手段からの応答により前記デジタル回線装置の着信に係わる通信試験を行うことにより、前記デジタル回線装置の通信異常の有無を検知するようにしたＩＳＤＮ網制御システムにおいて
前記通信試験装置は、設定情報を入力操作および表示操作する設定器操作手段と、前記設定情報を表示する設定器表示手段と、前記設定器表示手段と前記設定器操作手段とを制御するとともに前記デジタル回線装置と前記端末装置の設定情報の送受信を制御する設定器制御手段とを備え、前記デジタル回線装置に発信して前記デジタル回線装置および端末装置に設定情報を設定するとともに表示するようにしたＩＳＤＮ網制御システム。
【請求項３】
前記通信試験装置は、前記デジタル回線装置および前記端末装置の情報やコマンドを表示する疑似センタ表示手段と、前記デジタル回線装置および前記端末装置と通信させたい情報を入力操作する疑似センタ操作手段と、前記疑似センタ表示手段と前記疑似センタ操作手段とを制御するとともに前記デジタル回線装置と端末装置との通信を制御をする疑似センタ制御手段とを備え、
設置者による前記疑似センタ操作手段の操作に対応してデジタル回線装置に発信および通信し、センタ端末と同等の動作により疑似的なセンタ端末として端末装置と通信するようにした請求項２記載のＩＳＤＮ網制御システム。
【発明の詳細な説明】
【０００１】
【発明の属する技術分野】
本発明は、メータや設備機器などの端末装置をＩＳＤＮ回線網を介してセンタ端末の遠隔管理装置と接続して通信するためのＩＳＤＮ網制御システムに係わり、とくに通信異常を検知する手段を備えたＩＳＤＮ網制御システムに関する。
【０００２】
【従来の技術】
今日、ＩＳＤＮ回線網を利用した遠隔管理装置により、ガスメータ、水道メータ、電力メータなどの検針データ、ガス漏れなどの情報、空調機器や照明機器などの故障情報を入手したり、遠隔診断などを行うシステムが一般に普及しつつある。たとえば、特開平５−７２５９号公報はその一例を開示している。
【０００３】
図１８は従来のＩＳＤＮ網制御システムの一般的な構成を示すブロック図である。図において、１は端末装置としてのガスメータ８をＩＳＤＮ回線網２を介して自動検針や遠隔制御するセンタ端末、２はＩＳＤＮ回線網、３はＩＳＤＮ回線網２に接続されてインターフェースＳ／Ｔ点を提供するデジタル回線終端装置、４はガスメータ８をＩＳＤＮ回線網２に通信接続してセンタ端末１との通信を制御するデジタル回線装置である。デジタル回線装置４において、５はデジタル回線終端装置３のインターフェースＳ／Ｔ点に接続して通信するＳ／Ｔ点接続手段、６はセンタ端末１からの受信データを端末インターフェース手段７を介してガスメータ８に送信し、また、ガスメータ８からの受信データをＳ／Ｔ点接続手段５を介してセンタ端末１に送信するアクセス通信手段、７はガスメータ８とデータを送受信する端末インターフェース手段である。また、端末装置としてのガスメータ８において、９はデジタル回線装置４と通信するための装置インターフェース手段、１０はガス流量を積算計測するとともにガス流量や圧力などの異常を検知するとガス弁を遮断する検針制御手段、１１は装置インターフェース手段９と検針制御手段１０とを制御するメータ制御手段である。
【０００４】
上記構成においてその動作を説明する。センタ端末１からガスメータ８に通信するとき、センタ端末１はＩＳＤＮ回線網２にデジタル回線装置４が接続されているＩＳＤＮ回線網の電話番号とデジタル回線装置４にあらかじめ設定されているサブアドレスとを送信する。これにより呼び出されたデジタル回線装置４はガスメータ８とセンタ端末１との通信を制御をする。センタ端末１からの送信データはＩＳＤＮ回線網２、デジタル回線終端装置３、Ｓ／Ｔ点接続手段５、アクセス通信手段６、および端末インターフェース手段７を介してガスメータ８に送信され、また、センタ端末１から検針要求があるときには、メータ制御手段１１は検針制御手段１０から検針データを受信してセンタ端末１に送信する。
【０００５】
また、ガスメータ８がセンタ端末１と通信するときには、メータ制御手段１１が装置インターフェース手段９を介してデジタル回線装置４に通知する。これを受信したデジタル回線装置４はＳ／Ｔ点接続手段５、デジタル回線終端装置３、およびＩＳＤＮ回線網２を介してセンタ端末１に送信させる。
【０００６】
上記ＩＳＤＮ網制御システムにおいて、デジタル回線装置４を設置するときなどにおいて、デジタル回線装置４が正常に動作するか否かの通信試験を、センタ端末１とＩＳＤＮ回線網２とを介して行うようになっていた。また、ＩＳＤＮ回線網２に通信試験用のループ回路を接続する手段が特開平６−３７７６０号公報に開示されている。
【０００７】
【発明が解決しようとする課題】
このような従来のＩＳＤＮ網制御システムでは、各家庭に接続されたデジタル回線装置４のすべてがＩＳＤＮ回線網２を介してセンタ端末１と通信試験を行うので、センタ端末１の負担が非常に大きくなると言う問題があった。
【０００８】
本発明は上記の課題を解決するもので、センタ端末１の負担が小さい通信試験を実施できるＩＳＤＮ網制御システムを提供することを目的とする。
【０００９】
【課題を解決するための手段】
本発明のＩＳＤＮ網制御システムは、端末装置を共通に接続した第１のデジタル回線装置と第２のデジタル回線装置とをインターフェースＳ／Ｔ点にバス接続するとともに、前記端末装置に端末通信試験手段を設け、前記端末通信試験手段は、前記第１のデジタル回線装置と前記第２のデジタル回線装置のいずれか一方から他方へ発信させて通信接続により形成した前記端末装置を含むループ状の信号経路でデータを送受信し、前記信号経路を経由して受信したデータを送出したデータと比較することにより、前記第１のデジタル回線装置および前記第２のデジタル回線装置における通信異常の有無を検知するようにしたＩＳＤＮ網制御システムである。
【００１０】
これにより、センタ端末と通信することなく第１のデジタル回線装置および第２のデジタル回線装置における通信異常の有無を検知することができ、通信試験におけるセンタ端末の負荷を軽減することができる。
【００１１】
【発明の実施の形態】
本発明の実施の形態は、第１のデジタル回線装置および第２のデジタル回線装置は、発呼、着信、およびデータ転送などによりＩＳＤＮ回線網と端末装置との通信を制御する手段を意味し、端末装置は前記デジタル回線装置を介してＩＳＤＮ回線網に接続され、センタ端末と通信および遠隔制御される。前記デジタル回線装置は、発信着信制御により前記インターフェースＳ／Ｔ点に接続するとともに通信するＳ／Ｔ点接続手段と、端末装置と通信する端末インターフェース手段と、前記Ｓ／Ｔ点接続手段の信号および前記端末インターフェース手段の信号を交換制御するアクセス通信手段とで構成される。他の形態においても同様である。
【００１２】
また、ループ状の信号経路は通信接続を介して閉じた信号経路を意味し、第１のデジタル回線装置と第２のデジタル回線装置のいずれか一方から他方に発信して通信接続することにより、ＩＳＤＮ回線網を介して両者が接続され、共通接続している端末装置を含めたループ状の信号経路を形成する。
【００１３】
また、端末装置における複数装置インターフェース手段は、第１のデジタル回線装置の信号の入出力と第２のデジタル回線装置の信号の入出力とを分離して通信できるインターフェース手段を意味し、その構成については限定されない。
【００１４】
また、端末装置における端末通信試験手段は、通信試験するとき、第１のデジタル回線装置と第２のデジタル回線装置のいずれか一方から他方への発信を指示して通信接続させるとともにデータを送出し、他方から受信したデータを前記送出したデータと比較して通信異常の有無を検知する手段を意味する。なお、一方から他方への発信は、発信側の電話番号に受信側のサブアドレスを付加して行う。
【００１７】
また、通信試験装置は、設置現場で接続して通信試験する装置を意味する。これに備えた端末着信試験手段は、デジタル回線装置に発信して着信させ、その通信接続を介して端末装置にデータを送信する手段を意味する。他の形態においても同様である。
【００２０】
【実施例】
以下、実施例について説明する。
【００２１】
（実施例１）
以下、本発明のＩＳＤＮ網制御システムの第１の実施例について図面を参照しながら説明する。
【００２２】
図１は本実施例の構成を示すブロック図である。なお、図１８に示した従来例と同じ構成要素には同一番号を付与して詳細な説明を省略する。図１において、本実施例が従来例と異なる点は、ガスメータ８に対して２台のデジタル回線装置、すなわち第１のデジタル回線装置１２と第２のデジタル回線装置１３とを設け、それぞれインターフェースＳ／Ｔ点にバス接続する。なお、これらは従来例におけるデジタル回線装置４と同じものである。また、ガスメータ８は、装置インターフェース手段９に代えて複数装置インターフェース手段１４を備えるとともに、端末通信試験手段１５を備えている。複数装置インターフェース手段１４は、第１のデジタル回線装置１２と第２のデジタル回線装置１３とを接続して通信する。また、端末通信試験手段１５は、通信接続により第１のデジタル回線装置１２、ＩＳＤＮ回線網２、第２のデジタル回線装置１３、およびガスメータ８をループ状に接続するとともにデータを送受信し、第１のデジタル回線装置１２および第２のデジタル回線装置１３の通信異常を検知する。
【００２３】
上記構成において、その動作を説明する。通信試験するとき、端末通信試験手段１５は、複数装置インターフェース手段１４を介して第１のデジタル回線装置１２に、自分宛の電話番号に第２のデジタル回線装置１３の所定のサブアドレス（本実施例では＊２）を付加して発信するように指示を出す。この指示を受けた第１のデジタル回線装置１２はＳ／Ｔ点接続手段５を介してＩＳＤＮ回線網２に発信動作を行い、端末通信試験手段１５は通信試験のためのデータを第１のデジタル回線装置１２に送信する。このデータは第１のデジタル回線装置１２、デジタル回線終端装置３、ＩＳＤＮ回線網２、デジタル回線終端装置３、および第２のデジタル回線装置１３を介して受信データとして再び端末通信試験手段１５に戻ってくる。図２は本実施例におけるデータの流れを示す系統図である。この受信データを送信したデータと比較して、第１のデジタル回線装置１２の発信機能および送信機能と、第２のデジタル回線装置１３の着信機能および受信機能における異常の有無を検知する。差異がなければ通信異常がないことは明白である。
【００２４】
つぎに、端末通信試験手段１５は、通信接続はそのままにして、通信試験のためのデータを第２のデジタル回線装置１３に送信する。このデータは第２のデジタル回線装置１３、デジタル回線終端装置３、ＩＳＤＮ回線網２、デジタル回線終端装置３、第１のデジタル回線装置１２を介して、受信データとして再び端末通信試験手段１５に戻ってくる。この受信データを送信したデータと比較して、第１のデジタル回線装置１２の受信機能と、第２のデジタル回線装置１３の送信機能における通信異常を検知する。
【００２５】
上記の通信試験により、第１のデジタル回線装置１２および第２のデジタル回線装置の、少なくとも送信機能および受信機能を確認することができる。この通信試験にはセンタ端末１は全く関与しないので、通信試験がセンタ端末の負担にならないことは言うまでもない。
【００２６】
以上のように本実施例によれば、ガスメータ８に複数装置インターフェース手段１４を設け、インターフェースＳ／Ｔ点にバス接続された第１のデジタル回線装置１２と第２のデジタル回線装置１３とにガスメータ８を共通に接続するとともに、ガスメータ８に端末通信試験手段１５を設け、第１のデジタル回線装置１２から第２のデジタル回線装置１３に発信接続してデータを送信し、第２のデジタル回線装置１３からの受信データを送信したデータと比較することにより、センタ端末１が通信試験に関与することなく、第１のデジタル回線装置１２および第２のデジタル回線装置１３の送信機能および受信機能を確認することができる。
【００２７】
（実施例２）
以下、本発明のＩＳＤＮ網制御システムの実施例２について図面を参照しながら説明する。なお、本実施例の構成は図１に示した構成と同じである。本実施例が実施例１と異なる点は、端末通信試験手段１５が第１のデジタル回線装置１２から発信させて通信試験したのち一旦、通信接続を開放させ、つぎに改めて第２のデジタル回線装置１３から発信させて通信試験するようにしたことにより、実施例１に説明した通信試験で確認できなかった第１のデジタル回線装置１２の着信機能と、第２のデジタル回線装置１３の発信機能とを確認できるようにしたことにある。
【００２８】
上記構成において、その動作を説明する。通信試験する場合、端末通信試験手段１５は複数装置インターフェース手段１４を介して第１のデジタル回線装置１２に自分宛の電話番号に第２のデジタル回線装置１３の所定のサブアドレス（本実施例では＊２）を付加して発信するように指示を出す。この指示を受けた第１のデジタル回線装置１２は、Ｓ／Ｔ点接続手段５によりＩＳＤＮ回線網２に発信動作を行う。第２のデジタル回線装置１３はあらかじめ設定されているサブアドレスとＩＳＤＮ回線網２からの呼出信号のサブアドレスとが一致すると着信し、通信接続される。このとき、端末通信試験手段１５は通信試験のためのデータを送信し、このデータは第１のデジタル回線装置１２、デジタル回線終端装置３、ＩＳＤＮ回線網２、デジタル回線終端装置３、および第２のデジタル回線装置１３を介して、受信データとして端末通信試験手段１５に戻ってくる。上記データは図２に示したように流れる。端末通信試験手段１５は、この受信データを送信したデータと比較して、第１のデジタル回線装置１２の発信機能および送信機能と、第２のデジタル回線装置１３の着信機能および受信機能に異常がないことを確認する。異常がないことを確認すると一旦、通信接続を開放する。
【００２９】
なお、通信接続を開放する前に、実施例１と同様に、第２のデジタル回線装置１３からデータを送出して第１のデジタル回線装置１２で受信する通信試験を行ってもよく、これにより第１のデジタル回線装置の受信機能も併せて確認できるが、これは以下の通信試験でも確認できる機能である。
【００３０】
つぎに、端末通信試験手段１５は複数装置インターフェース手段１４を介して第２のデジタル回線装置１３に自分宛の電話番号に第１のデジタル回線装置１２の所定のサブアドレス（本実施例では＊１）を付加して発信するように指示を出す。この指示を受けた第２のデジタル回線装置１３はＳ／Ｔ点接続手段５によりＩＳＤＮ回線網２に発信動作を行う。第１のデジタル回線装置１２はあらかじめ設定されているサブアドレスと、ＩＳＤＮ回線網２からの呼出信号のサブアドレスとが一致すると着信し通信接続される。このとき、端末通信試験手段１５は通信試験のためのデータを送信し、このデータは第２のデジタル回線装置１３、デジタル回線終端装置３、ＩＳＤＮ回線網２、デジタル回線終端装置３、および第１のデジタル回線装置１２を介して、受信データとして端末通信試験手段１５に戻ってくる。この受信データを送信したデータと比較して、第１のデジタル回線装置１２の着信機能および受信機能と、第２のデジタル回線装置１３の発信機能および送信機能に異常がないことを確認する。異常がないことを確認すると通信接続を開放する。
【００３１】
以上のように本実施例によれば、ＩＳＤＮ回線網２を介して第１のデジタル回線装置１２と第２のデジタル回線装置１３とで構成されるループ接続を用いてデータを送受信し、受信データを送信したデータと比較する通信試験を、第１のデジタル回線装置１２からの送信による通信試験と、第２のデジタル回線装置１３からの送信による通信試験とをそれぞれ個別に実行することにより、それぞれの発信機能、送信機能、着信機能および受信機能をすべて確認することができる。
【００３２】
（実施例３）
以下、本発明のＩＳＤＮ網制御システムの実施例３について図面を参照しながら説明する。なお、本実施例の構成は図１に示した構成と同じである。本実施例が実施例１と異なる点は、実施例１および実施例２に説明した端末通信試験手段１５による通信試験で通信異常が検知されたとき、第１のデジタル回線装置１２と第２のデジタル回線装置１３のいずれの通信異常であるかは、実施例１の場合には特定できず、実施例２の場合でも必ずしも特定できるとは限らなかったが、本実施例では、通信異常を検知した場合にはセンタ端末１と個別に通信させることによりいずれの通信異常であるか特定するようにしたことにある。
【００３３】
上記構成において、その動作を説明する。端末通信試験手段１５により通信試験した結果、通信異常を検知したとき、端末通信試験手段１５は、まず、第１のデジタル回線装置１２にＩＳＤＮ回線網２を介してセンタ端末１と通信試験するように指示を出す。その結果、第１のデジタル回線装置１２が正常に通信できる場合は、ガスメータ８からの発呼通信は第１のデジタル回線装置１２を利用するようにメータ制御手段１１に指示を出す。また、第１のデジタル回線装置１２が正常に通信できなかった場合は、第２のデジタル回線装置１３にＩＳＤＮ回線網２を介してセンタ端末１と通信試験するように指示を出す。その結果、第２のデジタル回線装置１３がセンタ端末１と正常に通信できた場合、ガスメータ８からの発呼通信は第２のデジタル回線装置１３を利用するようにメータ制御手段１１に指示を出す。
【００３４】
以上のように本実施例によれば、ガスメータ８の端末通信試験手段１５が第１のデジタル回線装置１２と第２のデジタル回線装置１３とのループ接続における通信試験で通信異常を検知したとき、第１のデジタル回線装置１２および第２のデジタル回線装置１３にセンタ端末１と通信試験させて、いずれに通信異常があるかを特定し、正常に通信できるデジタル回線装置を使用するようにメータ制御手段１１に指示することにより、ガスメータ８は正常なデジタル回線装置を特定してセンタ端末１との通信を維持することができる。
【００３５】
（実施例４）
以下、本発明のＩＳＤＮ網制御システムの実施例４について説明する。なお、本実施例の構成は図１に示した構成と同じである。本実施例が実施例３と異なる点は、端末通信試験手段１５により第１のデジタル回線装置１２または第２のデジタル回線装置１３のいずれが通信異常であるかを特定したのち、この特定結果を、通信に異常のない方のデジタル回線装置とＩＳＤＮ回線網２とを介してセンタ端末１に通知するようにしたことにある。
【００３６】
上記構成においてその動作を説明する。実施例３で説明したように、第１のデジタル回線装置１２または第２のデジタル回線装置１３のいずれに通信異常があるかを特定したとき、正常に通信できるデジタル回線装置を用い、ＩＳＤＮ回線網２を介して前記特定結果をセンタ端末１に通報する。この通報により管理者は通信異常を起こしたデジタル回線装置を迅速に修理または交換することができる。したがって、一方が通信異常である場合、センタ端末１にも通報して管理者に修理させ、予備となるデジタル回線装置がいつも健全であるように準備することができ、両方のデジタル回線装置がともに通信異常となる事態を回避することができる。
【００３７】
以上のように本実施例によれば、ガスメータ８の端末通信試験手段１５は通信異常のあるデジタル回線装置を特定した結果を、正常なデジタル回線装置を用いてＩＳＤＮ回線網２を介してセンタ端末１に通報することにより、管理者は修理や交換などにより迅速に対応することができる。
【００３８】
（実施例５）
以下、本発明のＩＳＤＮ網制御システムの実施例５について図面を参照しながら説明する。
【００３９】
図３は本実施例の構成を示すブロック図である。なお、図１と同じ構成要素には同一番号を付与して詳細な説明を省略する。本実施例が実施例１と異なる点は、ガスメータ８には端末通信試験手段１５を設けず、第１のデジタル回線装置１２に装置通信試験手段１６を設けた構成とし、第１のデジタル回線装置１２と第２のデジタル回線装置１３とのループ接続における通信試験はガスメータ８による中継を介して行うようにしたことにある。したがって、ガスメータ８には複数装置インターフェース手段１４に代えて装置交換インターフェース手段１７を備え、装置交換インターフェース手段１７は、第１のデジタル回線装置１２および第２のデジタル回線装置１３と通信するとともに、第１のデジタル回線装置１２と第２のデジタル回線装置１３との通信を中継するようにしている。
【００４０】
上記構成においてその動作を説明する。通信試験する場合、装置通信試験手段１６は、アクセス通信手段６に自分宛の電話番号に第２のデジタル回線装置１３の所定のサブアドレス（本実施例では＊２）を付加して発信するように指示を出す。この指示を受けたアクセス通信手段６は、Ｓ／Ｔ点接続手段５を介してＩＳＤＮ回線網２に発信動作を行う。第２のデジタル回線装置１３はあらかじめ設定されているサブアドレスとＩＳＤＮ回線網２からの呼出信号のサブアドレスとが一致すると着信し、通信接続される。このとき、装置通信試験手段１６は、アクセス通信手段６へ通信試験のためのデータを送信し、このデータはデジタル回線終端装置３、ＩＳＤＮ回線網２、デジタル回線終端装置３、第２のデジタル回線装置１３、およびガスメータ８を介して、受信信号として装置通信試験手段１６に戻ってくる。図４は本実施例におけるデータの流れを示す系統図である。
【００４１】
装置通信試験手段１６は、この受信データを前記送信したデータと比較して、第１のデジタル回線装置１２の発信機能および送信機能と、第２のデジタル回線装置１３の着信機能および受信機能に異常がないことを確認する。
【００４２】
つぎに、装置通信試験手段１６は、ガスメータ８の装置交換インターフェース手段１７を介して通信試験のためのデータを第２のデジタル回線装置１３に送信し、このデータは第２のデジタル回線装置１３、デジタル回線終端装置３、ＩＳＤＮ回線網２、およびデジタル回線終端装置３を介して受信信号として装置通信試験手段１６に戻ってくる。この受信データを前記送信したデータと比較して、第１のデジタル回線装置１２の受信機能と第２のデジタル回線装置１３の送信機能に異常がないことを確認する。これらの通信試験により、第１のデジタル回線装置１２および第２のデジタル回線装置１３の、少なくとも送信機能および受信機能を確認することができる。
【００４３】
以上のように本実施例によれば、第１のデジタル回線装置１２に装置通信試験手段１６を設け、第１のデジタル回線装置１２と第２のデジタル回線装置１３とのループ接続による通信試験をガスメータ８の中継により行うことにより、第１のデジタル回線装置１２および第２のデジタル回線装置１３の、少なくとも送信機能および受信機能を確認できるとともに、ガスメータ８は端末通信試験手段１５を備えないのでアナログ電話回線網にも共用することができる。
【００４４】
（実施例６）
以下、本発明のＩＳＤＮ網制御システムの実施例６について図面を参照しながら説明する。図５は本実施例の構成を示すブロック図である。なお、実施例１と同じ構成要素には同一番号を付与して詳細な説明を省略する。また、図６は本実施例における信号の流れを示す系統図である。本実施例が実施例１と異なる点は、第２のデジタル回線装置１３は設けないで、デジタル回線装置４のみとし、通信試験装置１８をインターフェースＳ／Ｔ点にバス接続してデジタル回線装置４の着信機能について通信試験し、ガスメータ８には実施例１と同様に端末通信試験手段１５を設け、デジタル回線装置４の発信機能について通信試験させるようにしたことにある。なお、通信試験装置１８は端末着信試験手段１９を備え、ガスメータ８は、従来例と同様に、装置インターフェース手段９を備える。
【００４５】
上記構成において、その動作を説明する。通信試験する場合、ガスメータ８の端末通信試験手段１５は、装置インターフェース手段９を介してデジタル回線装置４に自分宛の電話番号に通信試験装置１８の所定のサブアドレス（本実施例では＊２）を付加して発信するように指示を出す。この指示を受けたデジタル回線装置４はＳ／Ｔ点接続手段５によりＩＳＤＮ回線網２に発信動作を行う。通信試験装置１８は、設定されている所定のサブアドレスとＩＳＤＮ回線網２からの呼出信号のサブアドレスとが一致すると着信し、通信接続される。つぎに、端末通信試験手段１５はデータを送信し、このデータはデジタル回線装置４、デジタル回線終端装置３、ＩＳＤＮ回線網２、デジタル回線終端装置３を介して、通信試験装置１８の端末着信試験手段１９に送信される。このとき、データは図６に示したように流れる。端末着信試験手段１９はこのデータを正常に受信すると、デジタル回線終端装置３、ＩＳＤＮ回線網２、デジタル回線終端装置３、およびデジタル回線装置４を介して、正常に受信したことを端末通信試験手段１５に通知したのち、通信接続を開放する。この通信試験により、デジタル回線装置４の発信機能および送信機能を確認できる。
【００４６】
つぎに、端末着信試験手段１９はＳ／Ｔ点接続手段５により自分宛の電話番号にデジタル回線装置４の所定のサブアドレス（本実施例では＊１）を付加して発信する。デジタル回線装置４はあらかじめ設定されているサブアドレスとＩＳＤＮ回線網２からの呼出信号のサブアドレスとが一致すると着信し、通信接続される。つぎに、端末着信試験手段１９はデータを送信し、このデータはデジタル回線終端装置３、ＩＳＤＮ回線網２、デジタル回線終端装置３、およびデジタル回線装置４を介して、ガスメータ８の端末通信試験手段１５に送信される。端末通信試験手段１５はこのデータを正常に受信すると、デジタル回線装置４とＩＳＤＮ回線網２とを介して、端末着信試験手段１９に正常に受信したことを通知したのち通信接続を開放する。これにより、デジタル回線装置４の着信機能および受信機能を確認することができる。
【００４７】
以上のように本実施例によれば、第２のデジタル回線装置１３は設けず、インターフェースＳ／Ｔ点に通信試験装置１８を接続し、通信試験装置１８の端末着信試験手段１９とガスメータ８の端末通信試験手段１５とによりデジタル回線装置４の発信機能、送信機能、着信機能、および受信機能を確認するようにしたことにより、実施例１ないし実施例５に説明したＩＳＤＮ網制御システムよりも構成が簡単になり、かつ接続も簡単になるので設置工事が容易になり、低コストのＩＳＤＮ網制御システムを実現することができる。
【００４８】
（実施例７）
以下、本発明のＩＳＤＮ網制御システムの実施例７について図面を参照しながら説明する。
【００４９】
図７は本実施例の構成を示すブロック図である。なお、実施例６と同じ構成要素には同一番号を付与して詳細な説明を省略する。本実施例が実施例６と異なる点は、通信試験装置１８はＩＳＤＮ回線網２を介してデジタル回線装置４に設定情報を送受信できるとともに、第１のデジタル回線装置１２を介してガスメータ８にも設定情報を送受信できるようにしたことにある。そのために、通信試験装置１８は、前記設定情報を表示する設定器表示手段２０と、デジタル回線装置４およびガスメータ８に設定したい情報を入力する設定器操作手段２１と、設定器表示手段２０と設定器操作手段２１とを制御するとともに前記設定データをデジタル回線装置４に送受信する動作を制御する設定器制御手段２２とを新たに備えている。なお、図７ではガスメータ８のメータ制御手段１１を省略して描いている。
【００５０】
上記構成において、その動作を説明する。設置者は、デジタル回線装置４やガスメータ８を設置したのち、通信試験装置１８の設定器操作手段２１によりデジタル回線装置４やガスメータ８に設定すべき情報、すなわち設定情報を入力する。入力された設定情報は設定器制御手段２２に送られ、設定器制御手段２２は端末着信試験手段１９を制御して、自分宛の電話番号にデジタル回線装置４の所定のサブアドレス（本実施例では＊１）を付加して発信させる。デジタル回線装置４はあらかじめ設定されているサブアドレスとＩＳＤＮ回線網２からの呼出信号のサブアドレスとが一致すると着信し、通信接続される。この接続が通信試験装置１８のＳ／Ｔ点接続手段５により確認されると、設定器制御手段２２はデジタル回線装置４と通信を開始して設定情報を送信する。また、設定器表示手段２０はその設定情報などを表示する。
【００５１】
以上のように本実施例によれば、デジタル回線装置４やガスメータ８に設定する設定情報を入力操作する設定器操作手段２１と、前記設定情報をデジタル回線装置４およびガスメータ８に送受信する動作を制御する設定器制御手段２２と、前記設定情報を表示する設定器表示手段２０とを通信試験装置１８に設け、通信試験装置１８から前記デジタル回線装置４に発信して前記設定情報をデジタル回線装置４およびガスメータ８に送信し、設定するようにしたことにより、設置者は新しく設置したデジタル回線装置４およびガスメータ８に設定すべき情報を入力操作および表示で確認しながら容易に設定することができる。
【００５２】
（実施例８）
以下、本発明のＩＳＤＮ網制御システムの実施例８について図面を参照しながら説明する。
【００５３】
図８は本実施例の構成を示すブロック図である。なお、実施例７と同じ構成要素には同一番号を付与して詳細な説明を省略する。本実施例が実施例７と異なる点は、通信試験装置１８がセンタ端末１とほぼ同等の機能を備え、センタポーリングや端末発呼を可能としていることにある。通信試験装置１８には、デジタル回線装置４やガスメータ８の情報やコマンドを表示する疑似センタ表示手段２３と、デジタル回線装置４やガスメータ８と通信させたい情報を入力する疑似センタ操作手段２４と、疑似センタ表示手段２３と疑似センタ操作手段２４とを制御する疑似センタ制御手段２５とを備えている。なお、実施例７と同じ構成要素を備えてもよいことは言うまでもない。
【００５４】
上記構成においてその動作を説明する。デジタル回線装置４やガスメータ８を設置したのち、設置者はＩＳＤＮ回線網２を介して正常にガスメータ８と通信可能か否かを確認するために、通信試験装置１８の疑似センタ操作手段２４を操作する。疑似センタ制御手段２５は端末着信試験手段１９を制御してＩＳＤＮ回線網２を介して、自分宛の電話番号にデジタル回線装置４の所定のサブアドレス（本実施例では＊１）を付加して発信する。デジタル回線装置４はあらかじめ設定されているサブアドレスとＩＳＤＮ回線網２からの呼出信号のサブアドレスとが一致すると着信し、通信接続される。この通信接続がＳ／Ｔ点接続手段５により確認されると、疑似センタ制御手段２５はデジタル回線装置４と通信を開始し、検針データなど、本来はＩＳＤＮ回線網２を介してセンタ端末１が授受する内容について通信する。疑似センタ表示手段２３は、その検針データなどを表示する。
【００５５】
以上のように本実施例によれば、通信試験装置１８に疑似センタ表示手段２３と、疑似センタ操作手段２４と、疑似センタ制御手段２５とを備え、疑似センタ操作手段２４により設置者が操作した入力に対応して疑似センタ制御手段２５がデジタル回線装置４に発信して通信するように制御することにより、設置者は通信試験装置１８によりガスメータ８の検針データなどを取得し、疑似センタ表示手段２３により表示して知ることができ、センタ端末１と同等にガスメータ８の情報を取得することができる。
【００５６】
（実施例９）
以下、本発明のＩＳＤＮ網制御システムの実施例９について図面を参照しながら説明する。
【００５７】
なお、本実施例の構成は実施例６で示した図５と同じである。本実施例が実施例６と異なる点は、ガスメータ８における端末通信試験手段１５がデジタル回線装置４を発信試験するとき、通信試験装置１８が端末着信試験手段１９により着信試験するための電話番号を通知し、通信試験装置１８はその電話番号先に発信して着信試験するようにしたことにある。
【００５８】
上記構成において、その動作を説明する。通信試験する場合、ガスメータ８における端末通信試験手段１５はデジタル回線装置４から通信試験装置１８へ発信させて発信試験するが、そのとき、通信試験装置１８が前記発信試験後に着信試験を行う相手先、すなわちデジタル回線装置４の電話番号を通知しておく。通信試験装置１８はその電話番号先に発信してデジタル回線装置４を着信試験する。
【００５９】
以上のように本実施例によれば、ガスメータ８の端末通信試験手段１５が発信試験するときに電話番号を通信試験装置１８に通知することにより、設置者はデジタル回線装置４の電話番号を知らなくても通信試験することができる。
【００６０】
（実施例１０）
以下、本発明のＩＳＤＮ網制御システムの実施例１０について図面を参照しながら説明する。本実施例の構成は実施例６で示した図５と同じである。本実施例が実施例６と異なる点は、端末通信試験手段１５がデジタル回線装置４を発信試験するとき、発信者番号通知サービスを利用して、通信試験装置１８が端末着信試験手段１９により着信試験する相手先の電話番号を通知し、通信試験装置１８はその電話番号を使用してデジタル回線装置４を着信試験するようにしたことにある。
【００６１】
上記構成において、その動作を説明する。通信試験する場合、ガスメータ８の端末通信試験手段１５は、デジタル回線装置４から通信試験装置１８へ発信させて発信試験するが、そのとき、端末通信試験手段１５は発信者番号通知サービスを利用して通信試験装置１８に着信試験する相手先の電話番号を通知する。通信試験装置１８は端末着信試験手段１９により、その電話番号先に発信してデジタル回線装置４を着信試験する。
【００６２】
以上のように本実施例によれば、ガスメータ８の端末通信試験手段１５が発信試験するときに、通信試験装置１８に発信者番号通知サービスを利用して電話番号を通知することにより、設置者はデジタル回線装置４の電話番号を知らなくても通信試験することができる。
【００６３】
（実施例１１）
以下、本発明のＩＳＤＮ網制御システムの実施例１１について図面を参照しながら説明する。図９は本実施例の構成を示すブロック図である。なお、実施例６と同じ構成要素には同一番号を付与して詳細な説明を省略する。また、図１０は本実施例における信号の流れを示す系統図である。本実施例が実施例６と異なる点は、デジタル回線装置４が装置通信試験手段１６を備え、ガスメータ８には端末通信試験手段１５を備えない構成としていることにある。
【００６４】
上記構成において、その動作を説明する。通信試験する場合、装置通信試験手段１６は、アクセス通信手段６に自分宛の電話番号に通信試験装置１８の所定のサブアドレス（本実施例では＊２）を付加して発信するように指示を出す。この指示を受けたアクセス通信手段６はＳ／Ｔ点接続手段５によりＩＳＤＮ回線網２に発信動作を行う。通信試験装置１８はあらかじめ設定されたサブアドレスとＩＳＤＮ回線網２からの呼出信号のサブアドレスとが一致すると着信し、通信接続される。そのとき、装置通信試験手段１６はデータを送信し、そのデータはデジタル回線終端装置３、ＩＳＤＮ回線網２、およびデジタル回線終端装置３を介して通信試験装置１８に送信される。このデータは図１０に示したように流れる。
【００６５】
通信試験装置１８の端末着信試験手段１９は、そのデータを正常に受信すると、デジタル回線終端装置３、ＩＳＤＮ回線網２、デジタル回線終端装置３、およびデジタル回線装置４を介して装置通信試験手段１６に正常に受信したことを通知したのち通信接続を開放する。これによりデジタル回線装置４の発信機能、送信機能、および受信機能を確認することができる。
【００６６】
つぎに、通信試験装置１８は、Ｓ／Ｔ点接続手段５により自分宛の電話番号にデジタル回線装置４の所定のサブアドレス（本実施例では＊１）を付加して発信する。デジタル回線装置４はあらかじめ設定されているサブアドレスとＩＳＤＮ回線網２からの呼出信号のサブアドレスとが一致すると着信し、通信接続される。このとき、通信試験装置１８はデータを送信し、そのデータはデジタル回線終端装置３、ＩＳＤＮ回線網２、およびデジタル回線終端装置３を介して装置通信試験手段１６に送信される。装置通信試験手段１６はそのデータを正常に受信すると、デジタル回線終端装置３、ＩＳＤＮ回線網２、およびデジタル回線終端装置３を介して正常に受信したことを通信試験装置１８に通知したのち通信接続を開放する。これにより、デジタル回線装置４の受信機能、着信機能、および送信機能を確認することができる。
【００６７】
以上のように本実施例によれば、デジタル回線装置４に装置通信試験手段１６を備え、デジタル回線装置４から通信試験装置１８に発信してデータを送信し、通信試験装置１８からの応答によりデジタル回線装置４の発信機能、送信機能、および受信機能を確認し、また、通信試験装置１８からデジタル回線装置４に発信してデータを送信し、装置通信試験手段１６からの応答によりデジタル回線装置４の着信機能、受信機能、および送信機能を確認するようにしたことにより、ガスメータ８が関与することなくデジタル回線装置４を通信試験することができ、ガスメータ８は端末通信試験手段を備えないので、アナログ電話回線網に用いても前記端末通信試験手段が無駄になることがない。
【００６８】
（実施例１２）
以下、本発明のＩＳＤＮ網制御システムの実施例１２について図面を参照しながら説明する。
【００６９】
図１１は本実施例の構成を示すブロック図である。なお、図５と同じ構成要素には同一番号を付与して詳細な説明を省略する。また、図１２は本実施例における信号の流れを示す系統図である。本実施例が実施例６と異なる点は、通信試験装置１８が通信折り返し手段２６を備え、ガスメータ８の端末通信試験手段１５は、デジタル回線装置４から通信試験装置１８に発信してデータを送信し、通信試験装置１８の通信折り返し手段２６により折り返し送信されてきた受信データによりデジタル回線装置４の通信異常を検知するようにしたことにある。
【００７０】
図１１において、２６はＳ／Ｔ点接続手段５からの受信データをそのまま送信データとして折り返し送信する通信折り返し手段である。
【００７１】
上記構成において、その動作を説明する。通信試験する場合、ガスメータ８の端末通信試験手段１５は、装置インターフェース手段９を介してデジタル回線装置４に自分宛の電話番号に通信試験装置１８の所定のサブアドレス（本実施例では＊２）を付加して発信するように指示を出す。この指示を受けたデジタル回線装置４は、Ｓ／Ｔ点接続手段５によりＩＳＤＮ回線網２に発信動作を行う。通信試験装置１８は、あらかじめ設定されているサブアドレスとＩＳＤＮ回線網２からの呼出信号のサブアドレスとが一致すると着信し、通信接続される。このとき、端末通信試験手段１５はデータを送信し、そのデータはデジタル回線装置４、デジタル回線終端装置３、ＩＳＤＮ回線網２、およびデジタル回線終端装置３を介して通信試験装置１８に到達し、通信折り返し手段２６は受信データをそのまま送信データとして折り返し送信する。
【００７２】
端末通信試験手段１５は、そのデータをデジタル回線装置４を介して受信し、受信データを前記送信したデータと比較する。これによりデジタル回線装置４の発信機能、送信機能、および受信機能に異常がないことを確認する。
【００７３】
以上のように本実施例によれば、ガスメータ８に端末通信試験手段１５を設けるとともに、インターフェースＳ／Ｔ点には通信試験装置１８をバス接続し、端末通信試験手段１５は、デジタル回線装置４から通信試験装置１８へ発信させてデータを送信し、通信試験装置１８における通信折り返し手段２６で折り返し送信されて戻ってきた受信データを前記送信したデータと比較することにより、デジタル回線装置４の発信機能、送信機能、および受信機能を確認することができる。
【００７４】
（実施例１３）
以下、本発明のＩＳＤＮ網制御システムの実施例１３について図面を参照しながら説明する。図１３は本実施例の構成を示すブロック図である。なお、図９と同じ構成要素には同一番号を付与して詳細な説明を省略する。また、図１４は本実施例における信号の流れを示す系統図である。本実施例が実施例１２と異なる点は、ガスメータ８には端末通信試験手段を設けず、デジタル回線装置４に装置通信試験手段１６を備え、デジタル回線装置４から通信試験装置１８に発信してデータを送信し、通信試験装置１８の通信折り返し手段２６で折り返し送信されて戻ってきた受信データを前記送信したデータと比較することにより、デジタル回線装置４の通信異常を検知するようにしたことにある。
【００７５】
上記構成において、その動作を説明する。通信試験する場合、装置通信試験手段１６は、アクセス通信手段６を介してＳ／Ｔ点接続手段５に自分宛の電話番号に通信試験装置１８の所定のサブアドレス（本実施例では＊２）を付加して発信するように指示を出す。この指示を受けたＳ／Ｔ点接続手段５はデジタル回線終端装置３を介してＩＳＤＮ回線網２に発信動作を行う。通信試験装置１８は、あらかじめ設定されているサブアドレスとＩＳＤＮ回線網２からの呼出信号のサブアドレスが一致すると着信し、通信接続される。つぎに、装置通信試験手段１６はデータを送信する。そのデータはデジタル回線終端装置３、ＩＳＤＮ回線網２、デジタル回線終端装置３を介して通信試験装置１８により受信され、通信折り返し手段２６は受信データをそのまま送信データとして折り返し送信する。このデータは図１４に示したように流れる。装置通信試験手段１６はデジタル回線装置４を介してその送信データを受信し、受信したデータを前記送信したデータと比較して、デジタル回線装置４の発信機能、送信機能、および受信機能に異常がないことを確認する。
【００７６】
以上のように本実施例によれば、デジタル回線装置４に装置通信試験手段１６を備え、インターフェースＳ／Ｔ点に接続した通信試験装置１８との折り返し通信試験により、デジタル回線装置４の発信機能、送信機能、および受信機能をガスメータ８と無関係に確認することができる。
【００７７】
（実施例１４）
以下、本発明のＩＳＤＮ網制御システムの実施例１４について図面を参照しながら説明する。図１５は本実施例の構成を示すブロック図である。なお、図９と同じ構成要素には同一番号を付与して詳細な説明を省略する。本実施例が実施例１１と異なる点は、デジタル回線装置４が通信試験装置１８と通信する試験装置インターフェース手段２７を備え、また、通信試験装置１８がデジタル回線装置４と通信する回線装置インターフェース手段２８と、装置アクセス通信手段２９を備え、デジタル回線装置４は通信試験装置１８とリンク接続して通信試験するようにしたことにある。
【００７８】
デジタル回線装置４において、２７は通信試験装置１８と接続して通信する試験装置インターフェース手段である。また、通信試験装置１８において、２８はデジタル回線装置４と接続するとともに通信する回線装置インターフェース手段、２９は通信試験装置１８とＩＳＤＮ回線網２とデジタル回線装置４とをループ接続し、データを送受信させてデジタル回線装置４の通信異常を検知する装置アクセス通信手段である。図１６は本実施例における信号の流れを示す系統図である。
【００７９】
上記構成において、その動作を説明する。通信試験する場合、デジタル回線装置４における装置通信試験手段１６は、アクセス通信手段６に自分宛の電話番号に通信試験装置１８の所定のサブアドレス（本実施例では＊２）を付加して発信するように指示を出す。この指示を受けたアクセス通信手段６は、Ｓ／Ｔ点接続手段５を介してＩＳＤＮ回線網２に発信動作を行う。通信試験装置１８は、あらかいじめ設定されているサブアドレスとＩＳＤＮ回線網２からの呼出信号のサブアドレスとが一致すると着信し、通信接続される。つぎに、装置通信試験手段１６はアクセス通信手段６へデータを送信し、そのデータはデジタル回線終端装置３、ＩＳＤＮ回線網２、および通信試験装置１８を介し、再び装置通信試験手段１６に戻ってくる。このデータは図１６に示したように流れる。この受信データを前記送信したデータを比較して、デジタル回線装置４の通信機能に異常がないことを確認する。
【００８０】
つぎに、装置通信試験手段１６は試験装置インターフェース手段２７と回線装置インターフェース手段２８とを介してデータを装置アクセス通信手段２９に送信し、そのデータは通信試験装置１８、デジタル回線終端装置３、ＩＳＤＮ回線網２、デジタル回線終端装置３を介して、再び装置通信試験手段１６に戻ってくる。この受信データを送信したデータと比較して、デジタル回線装置４の通信機能に異常がないことを確認する。
【００８１】
以上のように本実施例によれば、デジタル回線装置４に通信試験装置１８をリンク接続し、デジタル回線装置４から通信試験装置１８へ発信してデータを送信し、通信試験装置１８を経由するデータの送受信と、デジタル回線装置４の試験装置インターフェース手段２７から通信試験装置１８を経由するデータの送受信とにより、デジタル回線装置４の発信機能、送信機能、および受信機能を確認することができる。
【００８２】
（実施例１５）
以下、本発明のＩＳＤＮ網制御システムの実施例１５について図面を参照しながら説明する。なお、本実施例の構成は図１と同じとする。本実施例が実施例１と異なる点は、ガスメータ８における端末通信試験手段１５が通信試験するとき、通信試験に供するデータをユーザ・ユーザ情報通知サービスを用いて送受信するようにしたことにある。
【００８３】
上記構成において、その動作を説明する。図１７は本実施例の動作を示すプロトコル図である。なお、ここで端末装置はガスメータ８である。通信試験する場合、端末通信試験手段１５は、複数装置インターフェース手段１４を介して第１のデジタル回線装置１２に自分宛の電話番号に、第２のデジタル回線装置１３の所定のサブアドレス（本実施例では＊２）を付加して発信するように指示を出す。この指示を受けた第１のデジタル回線装置１２は、Ｓ／Ｔ点接続手段５を介してＩＳＤＮ回線網２に発信動作を行う。そのとき、発信試験のための発信試験データをユーザ・ユーザ情報（以下、ＵＵＩと称す）として呼出信号（ＳＥＴＵＰ）に付加して送信することにより、第２のデジタル回線装置１３に発信試験であることを通知する。
【００８４】
この通知を受信した第２のデジタル回線装置１３は、複数装置インターフェース手段１４を介して端末通信試験手段１５に前記発信試験データを受信したことを通知するとともに、第１のデジタル回線装置１２を受信試験するための受信試験データをＵＵＩとして切断信号（ＤＩＳＣ）に付加し、第１のデジタル回線装置１２を介して端末通信試験手段１５に送信する。以上の通信により、端末通信試験手段１５は、前記発信試験データを受信した通知を受けることにより第１のデジタル回線装置１２の発信機能および送信機能と、第２のデジタル回線装置１３の着信機能および受信機能を確認し、また受信試験データを受け取ることにより第１のデジタル回線装置１２の受信機能と第２のデジタル回線装置１３の送信機能とを確認することができる。
【００８５】
以上のように本実施例によれば、ガスメータ８の端末通信試験手段１５により通信試験するとき、通信試験に供するデータをＵＵＩを利用して送受信することにより、第１のデジタル回線装置１２および第２のデジタル回線装置１３を通信試験できるとともに、通信接続後に改めてデータを送受信する必要がなく、したがってＩＳＤＮ回線網２のＢチャンネルを通信試験に占有することなく通信試験でき、また、低コストで通信試験することができる。
【００８６】
なお、本実施例では実施例１について説明したが、他の実施例においても同様にＵＵＩを利用できることは言うまでもない。
【００８７】
（実施例１６）
以下、本発明のＩＳＤＮ網制御システムの実施例１６について図面を参照しながら説明する。本実施例の構成は図１に示した構成と同じである。本実施例が実施例１と異なる点は、第１のデジタル回線装置１２および第２のデジタル回線装置１３を通信試験するときにＩＳＤＮ回線網２のＢチャンネルの２本のうちの１本がすでに使用中である場合、通信試験はＩＳＤＮ回線網２を介してセンタ端末１と行うことにある。
【００８８】
上記構成において、その動作を説明する。端末通信試験手段１５が第１のデジタル回線装置１２および第２のデジタル回線装置１３を通信試験しようとしたときにＩＳＤＮ回線網２のＢチャンネルが１本しか空いていない場合、まず、第１のデジタル回線装置１２を介してセンタ端末１と通信試験を行う。つぎに、第２のデジタル回線装置１３を介してセンタ端末１と通信試験を行う。
【００８９】
以上のように本実施例によれば、通信試験するときに、ＩＳＤＮ回線網２のＢチャンネルの１本のみが空いているときには、まず第１のデジタル回線装置１２を介してセンタ端末１と通信試験したのち、つぎに第２のデジタル回線装置１３を介してセンタ端末１と通信試験することにより、必ず通信試験を実施することができる。
【００９０】
なお、本実施例は実施例１について説明したが、他の実施例においても同様に通信試験することができる。
【００９１】
（実施例１７）
以下、本発明のＩＳＤＮ網制御システムの実施例１７について図面を参照しながら説明する。なお、本実施例の構成は図１に示した構成と同じである。本実施例が実施例１と異なる点は、第１のデジタル回線装置１２と第２のデジタル回線装置１３を通信試験するときにＩＳＤＮ回線網２のＢチャンネルが２本ともすでに使用中である場合、所定の時間経過後に通信試験を再試験することにある。  上記構成において、その動作を説明する。端末通信試験手段１５が第１のデジタル回線装置１２および第２のデジタル回線装置１３を通信試験しようとしたときにＩＳＤＮ回線網２のＢチャンネルが２本とも使用中である場合、端末通信試験手段１５は所定の時間経過後に再度、通信試験する。
【００９２】
以上のように本実施例によれば、通信試験するときに、ＩＳＤＮ回線網２のＢチャンネルの２本ともに使用中であるときには、所定時間経過後に再度、通信試験することにより、必ず通信試験を実施することができる。
【００９３】
なお、本実施例は実施例１について説明したが、他の実施例においても同様に通信試験することができる。
【００９４】
【発明の効果】
本発明のＩＳＤＮ網制御システムは、端末装置を共通に接続した第１のデジタル回線装置と第２のデジタル回線装置とをインターフェースＳ／Ｔ点にバス接続するとともに、前記端末装置に端末通信試験手段を設け、前記端末通信試験手段は、前記第１のデジタル回線装置と前記第２のデジタル回線装置のいずれか一方から他方へ発信させて通信接続により形成した前記端末装置を含むループ状の信号経路でデータを送受信し、前記信号経路を経由して受信したデータを送出したデータと比較することにより、前記第１のデジタル回線装置および前記第２のデジタル回線装置における通信異常の有無を検知することができる。
【図面の簡単な説明】
【図１】本発明のＩＳＤＮ網制御システムの実施例１の構成を示すブロック図
【図２】同実施例における信号の流れを示す系統図
【図３】本発明のＩＳＤＮ網制御システムの実施例５の構成を示すブロック図
【図４】同実施例における信号の流れを示す系統図
【図５】本発明のＩＳＤＮ網制御システムの実施例６の構成を示すブロック図
【図６】同実施例における信号の流れを示す系統図
【図７】本発明のＩＳＤＮ網制御システムの実施例７の構成を示すブロック図
【図８】本発明のＩＳＤＮ網制御システムの実施例８の構成を示すブロック図
【図９】本発明のＩＳＤＮ網制御システムの実施例１１の構成を示すブロック図
【図１０】同実施例における信号の流れを示す系統図
【図１１】本発明のＩＳＤＮ網制御システムの実施例１２の構成を示すブロック図
【図１２】同実施例における信号の流れを示す系統図
【図１３】本発明のＩＳＤＮ網制御システムの実施例１３の構成を示すブロック図
【図１４】同実施例における信号の流れを示す系統図
【図１５】本発明のＩＳＤＮ網制御システムの実施例１４の構成を示すブロック図
【図１６】同実施例における信号の流れを示す系統図
【図１７】本発明のＩＳＤＮ網制御システムの実施例１５の動作を示すプロトコル図
【図１８】従来のＩＳＤＮ網制御システムの構成を示すブロック図
【符号の説明】
１  センタ端末
２  ＩＳＤＮ回線網
３  デジタル回線終端装置
４  デジタル回線装置
５  Ｓ／Ｔ点接続手段
６  アクセス通信手段
７  端末インターフェース手段
８  ガスメータ（端末装置）
９  装置インターフェース手段
１０  検針制御手段
１１  メータ制御手段
１２  第１のデジタル回線装置
１３  第２のデジタル回線装置
１４  複数装置インターフェース手段
１５  端末通信試験手段
１６  装置通信試験手段
１７  装置交換インターフェース手段
１８  通信試験装置
１９  端末着信試験手段
２０  設定器表示手段
２１  設定器操作手段
２２  設定器制御手段
２３  疑似センタ表示手段
２４  疑似センタ操作手段
２５  疑似センタ制御手段
２６  通信折り返し手段
２７  試験装置インターフェース手段
２８  回線装置インターフェース手段
２９  装置アクセス通信手段
【図１】
0003713887.tif 000002
【図２】
0003713887.tif 000003
【図３】
0003713887.tif 000004
【図４】
0003713887.tif 000005
【図５】
0003713887.tif 000006
【図６】
0003713887.tif 000007
【図７】
0003713887.tif 000008
【図８】
0003713887.tif 000009
【図９】
0003713887.tif 000010
【図１０】
0003713887.tif 000011
【図１１】
0003713887.tif 000012
【図１２】
0003713887.tif 000013
【図１３】
0003713887.tif 000014
【図１４】
0003713887.tif 000015
【図１５】
0003713887.tif 000016
【図１６】
0003713887.tif 000017
【図１７】
0003713887.tif 000018
【図１８】
0003713887.tif 000019